(57)【特許請求の範囲】
【請求項１】
内視鏡の挿入部と、
前記挿入部の先端側に設けられる上下方向に湾曲可能な湾曲部と、
前記挿入部の前記湾曲部よりも先端側に設けられる超音波送受信部を覆うバルーンと、
前記挿入部内に設けられる処置具を挿通するための処置具挿通管路と、
前記挿入部内に設けられ、前記バルーン内に超音波を伝達する媒体を送液または該バルーン内から該媒体を吸引するための超音波伝達媒体給排水管路と、
前記湾曲部の湾曲方向上側に処置具挿通口を形成する面を有する操作部と、
前記操作部の前記面に設けられた、前記処置具挿通管路から吸引操作を行う吸引ボタンを取り付けるための吸引ボタンシリンダと、
前記吸引ボタンシリンダに接続された吸引チューブと、
前記操作部の前記面に設けられ、湾曲上方向側に開口するように超音波伝達媒体給排水口を形成する超音波伝達媒体給排水口金と、
前記操作部内に設けられ、前記処置具挿通管路を保持して該処置具挿通管路と前記吸引チューブと前記処置具挿通口とを連通する処置具挿入口分岐部と、
前記操作部内に設けられ、前記超音波伝達媒体給排水管路を保持して該超音波伝達媒体給排水管路と前記超音波伝達媒体給排水口金とを連通するブロックと、
を備えたことを特徴とする超音波内視鏡。
【発明の詳細な説明】
【０００１】
【発明の属する技術分野】
本発明は、超音波観察を行える超音波内視鏡に関する。
【０００２】
【従来の技術】
近年、超音波を体内組織に照射し、超音波が組織の音響インピーダンスの境界面で反射するという特性を利用して体内の組織断層像を得る超音波診断と、光学像による観察又は診断とを行うため、内視鏡先端に超音波振動子を設けた超音波内視鏡が広く利用されている。
【０００３】
この超音波内視鏡では、バルーンが取り付けられる先端キャップ内に超音波振動子が内包されており、超音波観察を行う際、バルーン内に生体の音響インピーダンスと略同様な水などの超音波伝達媒体を注入して膨張させ、この膨張したバルーンを観察目的部位に密着させ、超音波振動子を回転走査することによって超音波画像が得られるようになっている。
【０００４】
例えば、特開平２−２８６１４４号公報には操作部の上部側に副操作部を設け、この副操作部内に回転する超音波振動子からの回転信号伝達手段や回転位置検出手段、回転駆動手段を設けた超音波診断装置が開示されている。この超音波診断装置の超音波内視鏡では操作部を左手で把持した状態で、右手で湾曲操作ノブの操作を行えるように操作部の側面に湾曲操作ノブを設けていた。
【０００５】
【発明が解決しようとする課題】
しかしながら、前記特開平２−２８６１４４号公報の超音波診断装置の超音波内視鏡では操作部を左手で把持する場合には問題はないが、観察状況或いは術者の利き腕によっては操作部を右手で把持する場面も考えられるが、そのときには非常に操作がし難くなって、術者に大きな負担をかけてしまう。
【０００６】
本発明は、上記事情に鑑みてなされたものであり、操作部を左右どちらの手で把持することが可能で、操作性に優れた超音波内視鏡を提供することを目的にしている。
【０００７】
【課題を解決するための手段】
本発明による超音波内視鏡は、内視鏡の挿入部と、前記挿入部の先端側に設けられる上下方向に湾曲可能な湾曲部と、前記挿入部の前記湾曲部よりも先端側に設けられる超音波送受信部を覆うバルーンと、前記挿入部内に設けられる処置具を挿通するための処置具挿通管路と、前記挿入部内に設けられ、前記バルーン内に超音波を伝達する媒体を送液または該バルーン内から該媒体を吸引するための超音波伝達媒体給排水管路と、前記湾曲部の湾曲方向上側に処置具挿通口を形成する面を有する操作部と、前記操作部の前記面に設けられた、前記処置具挿通管路から吸引操作を行う吸引ボタンを取り付けるための吸引ボタンシリンダと、前記吸引ボタンシリンダに接続された吸引チューブと、前記操作部の前記面に設けられ、湾曲上方向側に開口するように超音波伝達媒体給排水口を形成する超音波伝達媒体給排水口金と、前記操作部内に設けられ、前記処置具挿通管路を保持して該処置具挿通管路と前記吸引チューブと前記処置具挿通口とを連通する処置具挿入口分岐部と、前記操作部内に設けられ、前記超音波伝達媒体給排水管路を保持して該超音波伝達媒体給排水管路と前記超音波伝達媒体給排水口金とを連通するブロックとを備えたことを特徴とする。
【０００８】
本発明では、操作部の湾曲方向上側に位置する面に処置具挿通口を形成し、且つ該操作部の該面に吸引ボタンシリンダと超音波伝達媒体給排水口金とを設けることにより、吸引ボタン操作、処置具の挿入、バルーン内への超音波伝達媒体の給排水という操作を、操作部を把持する手を選択して行うことができ、さらに、操作部内に処置具挿通管路と吸引チューブと処置具挿通口とを連通する処置具挿通口分岐部と、超音波伝達媒体給排水管路と超音波伝達媒体給排水口とを連通するブロックとを設けることによって、処置具挿通管路と超音波伝達媒体給排水管路とを別個に保持することができ、該処置具挿通管路及び該超音波伝達媒体給排水管路を互いの機能を損ねることなく保持することができる。
【０００９】
この構成によれば、操作部を左右どちらの手で把持した場合でも、処置具挿通口、吸引口、超音波伝達媒体給排水口の位置関係が同じである。
【００１０】
【発明の実施の形態】
図１ないし図１８は本発明の一実施形態に係り、図１は超音波内視鏡を備えた超音波内視鏡システムの構成を説明する図、図２は操作部に配置される吸引ボタン、処置具挿通口、バルーン送水・吸引口金の位置関係を説明する図、図３は超音波内視鏡の超音波送受信部を正面、側面及び下面から見たときの図、図４は図３（ａ）のＡ−Ａ線断面図、図５は超音波内視鏡の先端部分の断面図、図６は潤滑油用ブロックの構成を説明する図、図７は超音波探触子の構成を説明する図、図８は挿入部折れ止め部材内の構成例を説明する図、図９は操作部内の構成例を説明する図、図１０はスリップリング、エンコーダを配置したユニバーサルコード折れ止め部材内の構成例を説明する図、図１１は操作部内に配置された管路系を説明する図、図１２はスコープコネクタ内の構成を説明する図、図１３はバルーン送水・吸引口金を説明する図、図１４はバルーン送水・吸引口金の構造及び取り付け構造を説明する図、図１５は超音波送受信部の超音波走査範囲を説明する図、図１６はバルーン膨張状態を説明する図、図１７は過膨張したときバルーン内から脱気水が排出される１例を示す図、図１８は過膨張したときバルーン内から脱気水が排出される他の例を示す図である。
なお、図３（ａ）は超音波内視鏡先端部分の正面図、図３（ｂ）は超音波内視鏡先端部分の側面図、図３（ｃ）は超音波内視鏡先端部分の下面図、図５（ａ）は図４のＢ−Ｂ線断面図、図５（ｂ）は図４のＣ−Ｃ線断面図、図５（ｃ）は図４のＤ−Ｄ線断面図、図１３（ａ）は図１１のＡ−Ａ線断面図、図１３（ｂ）は図１１のＢ−Ｂ線断面図である。
【００１１】
図１に示すように本実施形態の超音波内視鏡システム１は、観察光学系及び照明光学系と、超音波振動子を設けた超音波送受信部１０とを有する超音波内視鏡（以下、内視鏡と略記する）２と、前記照明光学系に照明光を供給する光源装置３と、前記超音波振動子を駆動させる駆動信号を出力する一方、この超音波振動子から伝送される電気信号を画像信号に処理する信号処理部等を備えた超音波観測装置４とで主に構成されている。
【００１２】
前記内視鏡２は、体腔内に挿入される可撓性を有する挿入部５と、この挿入部５の基端部に連結された把持部を兼ねた操作部６と、この操作部６の側部から延出して基端部にスコープコネクタ７を有するユニバーサルコード８とを備えている。
【００１３】
このユニバーサルコード８と操作部６との連結部分には急激な曲がりを防止する弾性部材で構成されたコード用折れ止め部材８ａが設けられ、前記操作部６と挿入部５との連結部分には挿入部用折れ止め部材５ａが設けられている。また、前記操作部６の基端部には観察画像を目視にて観察するための接眼部９が設けられている。
【００１４】
前記挿入部５は、硬質な部材で形成された先端硬性部１１と、例えば上下方向に湾曲自在な湾曲部１２と、細長で柔軟なシースで形成された可撓管部１３とを先端側から順に連接している。前記超音波送受信部１０は前記先端硬性部１１の先端側に突設している。
【００１５】
前記操作部６には前記挿入部５内を挿通する処置具挿通管路と吸引管路とを兼ねるである処置具挿通用チャンネル（図４符号２２参照）に連通する処置具挿通口６ａや前記湾曲部１２を湾曲操作するための湾曲操作部である湾曲操作ノブ６ｂ、超音波伝達媒体給排水口であるバルーン送水・吸引口金６ｃ、吸引操作を行うための吸引ボタン６ｄ、超音波画像のフリーズＯＮ，ＯＦＦや撮影を行うためのリモートスイッチ６ｅが設けられている。
【００１６】
そして、前記操作部６の上部側より、接眼部９、吸引ボタン６ｄ、リモートスイッチ６ｅ、処置具挿通口６ａ、バルーン送水・吸引口金６ｃの順番に配置するとともに、図２に示すように前記吸引ボタン６ｄ、処置具挿通口６ａ、バルーン送水・吸引口金６ｃを、前記湾曲操作ノブ６ｂの設置部と同一面上の湾曲方向（視野が移動する方向）上側に位置させて、一直線上に配置させている。
【００１７】
前記バルーン送水・吸引口金６ｃは、操作部６と挿入部５を接続する後述する接続部材１１０に設けてある。
【００１８】
図３（ａ）、（ｂ）、（ｃ）に示すように前記先端硬性部１１の先端側に設けられる超音波送受信部１０には、超音波振動子等を配設して構成した超音波探触子５０を覆う先端キャップ２０と、この先端キャップ２０と略平行に突出した柱状の支持部８０とが設けられている。この支持部８０は、前記湾曲部１２の湾曲方向である上下方向とは一致しない左方向又は右方向に位置している。
【００１９】
前記支持部８０内には観察光学系であるイメージガイド３２及び照明光学系であるライトガイド３３と、体液の吸液や体腔内へ処置具を案内する前記処置具挿通用貫通孔３５が形成されている。本実施形態においてはイメージガイド３２の周囲にライトガイド３３が配置されている。
【００２０】
前記支持部８０の前記超音波探触子５０に対向する振動子対向面には、前記超音波探触子５０から出射される超音波を吸音する作用を有するウレタンゴム、フェライトゴム等の吸音シート８２が前記先端キャップ２０との隙間を埋めるように貼付してある。このことによって、超音波探触子５０から出射された超音波超音波が振動子対向面で乱反射することが防止される。
【００２１】
前記支持部８０の先端には固定用ビス８３によって先端カバー８４が一体的に螺合固定されている。この先端カバー８４の外周面には超音波透過性を有するラテックスやテフロン（登録商標）ゴム等の膨縮自在なバルーン部材で両端が開口して形成された略チューブ状のバルーン９０の一端部に設けたＯリング部９１が配置される周溝となる先端側バルーン溝８６ｆが形成してある。そして、このバルーン９０の他端部に設けられるＯリング部９２は支持部８０の基端部に形成された基端側バルーン溝８６ｂに配置されるようになっている。
【００２２】
つまり、先端側バルーン溝８６ｆ及び基端側バルーン溝８６ｂにそれぞれバルーン９０に設けられるＯリング部９１，９２を係入することによって、前記先端キャップ２０を覆い包むバルーン９０が配置される。なお、この基端側バルーン溝８６ｂの基端側には平面部２０１が設けてある。
【００２３】
前記先端カバー８４の先端面８４ａには前記イメージガイド３２及び前記ライトガイド３３の先端面が面一致するように配置されている。また、この先端面８４ａには前記処置具挿通用貫通孔３５に連通する開口３５ａが形成されている。さらに、この先端面８４ａには前記先端キャップ２０内に超音波伝達媒体を封入するための媒体注入口を水密に塞ぐ図示しないＯリングを設けた固定ビス４８が配置されている。
【００２４】
先端キャップ配置凹部３０の基端側側面８７には超音波伝達媒体を送水／吸引する超音波伝達媒体給排水管路である送水・吸引チューブ８９と一端部が連結した送水・吸引口８８が開口している。前記送水・吸引チューブ８９の他端部は、前記バルーン送水・吸引口金に連結している。また、前記先端硬性部１１の外周面には前記送水・吸引口８８と連通する吸引溝９３が形成されている。
【００２５】
図４及び図５（ａ）、（ｂ）、（ｃ）に示すように前記挿入部５内には体液の吸引や体腔内へ処置具を案内する処置具挿通用チャンネル２２や体腔内を照明するライトガイド３３、体腔内の観察を行うためのイメージガイド３２、ガイドチューブ２７に覆われ、前記超音波探触子５０を回転させる回転伝達手段であるフレキシブルシャフト２８、前記基端側側面８７に開口した送水・吸引口８８に連通した送水・吸引チューブ８９、湾曲部１２を上・下に湾曲させるためのアングルワイヤ２１Ｕ，２１Ｄ等が設けられている。
【００２６】
前記ガイドチューブ２７内には前記フレキシブルシャフト２８と前記ガイドチューブ２７の内周面との摺動性を良好にする潤滑油が充填されている。
【００２７】
前記先端キャップ２０は、超音波透過性に優れた高密度ポリエチレン、ポリメチルペンテン等のプラスチック材料や超音波を透過する弾性体で袋状に形成されている。この先端キャップ２０の内部に配設された超音波探触子５０は、回転駆動手段である回転駆動源の回転力を伝達する前記フレキシブルシャフト２８によって回転して超音波を挿入部長手軸方向に対して直交する方向に出射する。つまり、この超音波探触子５０は、ラジアル走査を行う。
【００２８】
前記先端キャップ２０の先端面には超音波を伝達する特性を有する流動パラフィン、水、カルボキシルメチルセルロース水溶液、キシロカインゼリー等超音波伝達媒体を注入するための透孔８５（図４参照）が形成されている。
つまり、前記先端キャップ２０内には超音波伝達媒体３１が充填されている。
前記超音波探触子５０のハウジング５１には、フレキシブルシャフト２８の回転力によって滑らかに回転するように保持する軸受部５９が構成されている。
【００２９】
前記支持部８０の基端部には前記超音波探触子５０のハウジング５１の後方側に設けた２つの軸受部５９の間に設けられたスペーサ５８部に連通する第１の潤滑油孔６０が形成されている。この第１の潤滑油孔６０には超音波探触子５０の挿入部長手軸方向の進退を規制するため、スペーサ５８の切り欠き部５７に嵌合するピン２３ａを備えた抜け止めネジ２３が螺合配置されるようにようになっている。
【００３０】
前記吸引溝９３は、挿入部５の中心軸に対して偏芯して設けられており、その一部は送水、吸引口８８の管路に連通するように面取りされている。
【００３１】
図６に示すように操作部６の挿入部用折れ止め部材５ａ内に設けられた潤滑油用ブロック３６（図８参照）には、前記フレキシブルシャフト２８の基端部に固定された第１連結シャフト３７が挿通するシャフト挿通口３８が形成されている。このシャフト挿通口３８の中途部には、第２の潤滑油孔３９が連通している。この第２の潤滑油孔３９にはＯリング４０ａを配置したシールネジ４０が螺合固定されるようになっている。
【００３２】
一方、フレキシブルシャフト２８が内挿されているガイドチューブ２７の基端部は、潤滑油用ブロック３６から突出する接続部４１に外嵌されており、締め付けゴム４２を設けた締め付けネジ部材４３を、潤滑油用ブロック３６に螺合していくことにより、前記締め付けゴム４２が変形して前記ガイドチューブ２７を押圧し、接続部４１にガイドチューブ２７を押圧固定する。
【００３３】
潤滑油用ブロック３６の接続部４１の反対側にはフレキシブルシャフト２８の基端部に固定された第１連結シャフト３７を受ける軸受部４４と、第１連結シャフト３７を介して潤滑油が流れ出るのを防止する水密リング４５と、軸受部４４を潤滑油用ブロック３６に固定する押さえネジ４６とが設けられている。
【００３４】
前記抜け止めネジ２３とシールネジ４０とを外した状態にして、第１の潤滑油孔６０（又は第２の潤滑油孔３９）から潤滑油を注入する一方、第２の潤滑油孔３９（又は第１の潤滑油孔６０）から潤滑油を吸引することによって、ガイドチューブ２７内に潤滑油を充填することができるようになっている。
【００３５】
なお、本実施形態ではガイドチューブ２７内と先端キャップ２０内とはＯリングにより遮断されている。しかし、ガイドチューブ２７内と先端キャップ２０内とを連通させ、先端キャップ２０内の超音波伝達媒体とガイドチューブ２７内の潤滑剤とを同一部材にしても良い。
【００３６】
図７に示すように超音波探触子５０は、前記フレキシブルシャフト２８の端部が一体的に固定されて回転自在なハウジング５１に、フェライト入りのポリクロロプレンゴムやタングステン粉末入りのエポキシ樹脂等で形成した超音波吸収体であるバッキング材５２、ジルコン酸チタン酸塩又はチタン酸塩等の平板状の圧電素子５３及びエポキシ樹脂で形成した凹レンズ形状の音響レンズ５４を接着剤５５によって一体的に固設して形成されている。なお、符号５６はフレキシブルシャフト２８内を挿通して超音波探触子５０と前記超音波観測装置４とを電気的に接続して超音波駆動信号や受信信号を伝送する信号線である。
【００３７】
図８ないし図１１に示すように前記超音波探触子５０を先端に配設したフレキシブルシャフト２８は、挿入部５内を挿通してその基端を前記第１連結シャフト３７を介して操作部６の先端側に位置する挿入部用折れ止め部材５ａ内に設置されたカップリング部材７３の一端に接続されている。
【００３８】
カップリング部材７３の他端には第２連結シャフト７４を介して操作部内フレキシブルシャフト７５が接続されている。この操作部内フレキシブルシャフト７５は、保護チューブ７６で覆われており、この操作部６内でユニバーサルコード側に略９０°屈曲してスコープコネクタ７まで延出している。
【００３９】
前記第２連結シャフト７４の他端部は、ジョイント７７を介してユニバーサルコード折れ止め部材８ａ内に設けた回転信号伝達手段であるスリップリング７８の回転軸７８ａの一端部に接続されている。
【００４０】
一方、このスリップリング７８の他端側に位置する回転軸７８ａの他端部には回転位置検出手段であるエンコーダ７９が設けられている。このエンコーダ７９側の前記回転軸７８ａには動力伝達用のコード側フレキシブルシャフト９４の一端がジョイント９５を介して接続されている。
【００４１】
このコード側フレキシブルシャフト９４は、ユニバーサルコード８内を挿通して他端部がスコープコネクタ７内に設けた回転駆動手段であるモータ１７に接続されている。
【００４２】
また、ユニバーサルコード折れ止め部材８ａ内に設けたスリップリング７８やエンコーダ７９から延出する図示しない信号伝達ケーブルは、ユニバーサルコード８内を挿通してスコープコネクタ７内に導かれ、図１２に示すようにスコープコネクタ７内に設けられたアンプ基板９６、エンコーダ基板９７にそれぞれ接続されている。
【００４３】
なお、回転する部分においてはそれぞれ、他の内蔵物との接触を保護する保護部材が設けてある。また、前記操作部６内には湾曲部１２を上・下に湾曲させるためのアングルワイヤ２１Ｕ，２１Ｄや湾曲機構９９、前記処置具挿通用チャンネル２２に連通した吸引チューブ１００、この吸引チューブ１００と接続された吸引ボタンシリンダ１０１、処置具挿入口分岐部１０２等が設けられている。
【００４４】
ここで、図１１及び図１３（ａ）、（ｂ）図１４（ａ）、（ｂ）、（ｃ）、（ｂ）を参照して前記バルーン送水・吸引口金６ｃの取り付けについて説明する。
図に示すように操作部６の把持部材１１１、ツナギ部材１１２、挿入部折れ止め部材５ａを挿入部５側から挿入する。
【００４５】
前記接続部材１１０内には基端側側面８７に開口した送水・吸引口８８と連通し、バルーン９０内に脱気水等の超音波伝達媒体を送水・吸引する送水・吸引チューブ８９に連通したブロック１０３が設けられている。このブロック１０３は、接続部材１１０に螺合固定され、バルーン送水・吸引口金６ｃと嵌合する開口１１４が設けられている。
【００４６】
前記接続部材１１０には長円形の開口１１０ａが設けられており、バルーン送水・吸引口金６ｃと嵌合する開口１１４に連通している。前記バルーン送水・吸引口金６ｃには長円部１１６が設けられている。図１４（ｃ）に示すように長円部１１６を、接続部材１１０の長円形の開口１１０ａと方向を合わせ挿入した後、９０度回転させることによって、図１４（ｄ）に示すように長円部１１６の一部１２０が接続部材１１０に噛み合うようになっている。
【００４７】
前記バルーン送水・吸引口金６ｃを、接続部材１１０に噛み合うように配置した後、回転止め１１７により回転が規制され、、固定ネジ１１８により締め付けることにより、ツナギ部材１１２と接続部材１１０とを挟むように固定される。
上述のように構成した内視鏡２の作用を説明する。
術者は内視鏡２のスコープコネクタ７を、光源装置３に接続するとともに、スコープコネクタ７の電気コネクタ部７ｂに接続ケーブル１５の内視鏡側コネクタ１５ｂを接続するとともに、この接続ケーブル１５の装置側コネクタ１５ａを超音波観測装置４に接続する。
【００４８】
そして、光源装置３、超音波観測装置４の電源をＯＮ状態にし、接眼部９を覗いて体腔内を観察しながら超音波内視鏡２の挿入部５を目的部位に向けて挿入していく。このとき、術者は、吸引ボタン６ｄ、処置具挿通口６ａ、バルーン送水・吸引口金６ｃの位置を気にすることなく、操作部６を把持して手元操作を行える。
【００４９】
前記挿入部５の先端硬性部１１に配置されている先端キャップ２０が目的部位に到達したなら、バルーン送水・吸引口金６ｃからバルーン９０内部に脱気水を注入していく。すると、バルーン９０が膨張して体腔壁に密着する。
【００５０】
その後、超音波走査を行うため、超音波観測装置４から超音波探触子５０へ高圧パルスの送信を開始するとともに、スコープコネクタ７内のモータ１７を駆動する。
【００５１】
すると、モータ１７の駆動によってフレキシブルシャフト２８が回転を開始するとともに、ユニバーサルコード折れ止め部材８ａ内に設けられたエンコーダ７９、スリップリング７８の回転軸７８ａ等が回転を開始し、送信された高圧パルスによって超音波探触子５０から超音波が出射される。
【００５２】
このとき、前記フレキシブルシャフト２８が回転していることによってハウジング５１が回転し、超音波探触子５０から挿入部長手軸方向に対して垂直な方向に出射された超音波は、先端キャップ２０を通過して生体内に伝播されて挿入部長手軸方向に対して垂直な方向に超音波を出射してラジアル走査を行う。
【００５３】
しかしながら、先端キャップ２０とほぼ平行に突出した支持部８０に設けた吸音シート８２部分で、先端キャップ２０を通過した超音波は吸音される。その結果、前記支持部８０の位置での超音波画像は得られず、図１５の二点鎖線に示すような超音波走査範囲になり、その範囲で超音波診断を行う。
【００５４】
診断終了後、術者はバルーン９０内の脱気水をバルーン送水・吸引口金６ｃから吸引してバルーン９０を収縮させてから挿入部５を体腔外へ抜去する。
【００５５】
なお、前記バルーン９０内の脱気水は、支持部８０の基端側側面８７に設けられた送水・吸引口８８、吸引溝９３より吸引される。
【００５６】
また、本実施形態においては図１６に示すバルーン９０膨張状態より、さらにバルーン９０を膨張させてしまった場合、図１７に示すようにバルーン９０のＯリング部９１が先端側バルーン溝８６ｆから外れて脱気水が排出されたり、図１８に示すようにＯリング部９２が外周面の一部に設けられた平面部２０１へ移動する。このことにより、Ｏリング部９２のシール状態がこの平面部２０１で解除されて、脱気水がＯリング部９２と平面部２０１との隙間から排出される。
【００５７】
このように、吸引ボタン、処置具挿入口、バルーン送水・吸引口金を、湾曲操作ノブの設置部と同一面上の湾曲方向上側に一直線上に配置したことによって、術者は操作部を左右いずれの手で把持した場合でも内視鏡操作を行うことができる。
【００５８】
また、バルーン送水・吸引口金を、操作部の最下端に設けることによって、内視鏡機能を損なうことなく超音波機能用の管路を設置することができる。
このことによって、超音波内視鏡の小型化を図れる。
【００５９】
なお、本実施形態では吸引ボタン６ｄと処置具挿通口６ａとが別体な構成を示したが、図１９の操作部の他の構成を説明する図に示すように吸引ボタン６ｄと処置具挿通口６ａとを一体に構成するようにしてもよい。
【００６０】
なお、本発明は、以上述べた実施形態のみに限定されるものではなく、発明の要旨を逸脱しない範囲で種々変形実施可能である。
【００６１】
【発明の効果】
以上説明したように本発明によれば、操作部を左右どちらの手で把持することが可能で、操作性に優れた超音波内視鏡を提供することができる。
【図面の簡単な説明】
【図１】図１ないし図１９は本発明の一実施形態に係り、図１は超音波内視鏡を備えた超音波内視鏡システムの構成を説明する図
【図２】操作部に配置される吸引ボタン、処置具挿通口、バルーン送水・吸引口金の位置関係を説明する図
【図３】超音波内視鏡の超音波送受信部を正面、側面及び下面から見たときの図
【図４】図３（ａ）のＡ−Ａ線断面図
【図５】超音波内視鏡の先端部分の断面図
【図６】潤滑油用ブロックの構成を説明する図
【図７】超音波探触子の構成を説明する図
【図８】挿入部折れ止め部材内の構成例を説明する図
【図９】操作部内の構成例を説明する図
【図１０】スリップリング、エンコーダを配置したユニバーサルコード折れ止め部材内の構成例を説明する図
【図１１】操作部内に配置された管路を説明する図
【図１２】スコープコネクタ内の構成を説明する図
【図１３】バルーン送水・吸引口金を説明する図
【図１４】バルーン送水・吸引口金の構造及び取り付け構造を説明する図
【図１５】超音波送受信部の超音波走査範囲を説明する図
【図１６】バルーン膨張状態を説明する図
【図１７】過膨張したときバルーン内から脱気水が排出される１例を示す図
【図１８】過膨張したときバルーン内から脱気水が排出される他の例を示す図
【図１９】操作部の他の構成を説明する図
【符号の説明】
２…超音波内視鏡
６…操作部
６ａ…処置具挿通口
６ｃ…バルーン送水・吸引口金
６ｄ…吸引ボタン
６ｅ…リモートスイッチ
９…接眼部
【図１】
0003722720.tif 000002
【図２】
0003722720.tif 000003
【図３】
0003722720.tif 000004
【図４】
0003722720.tif 000005
【図５】
0003722720.tif 000006
【図６】
0003722720.tif 000007
【図７】
0003722720.tif 000008
【図８】
0003722720.tif 000009
【図９】
0003722720.tif 000010
【図１０】
0003722720.tif 000011
【図１１】
0003722720.tif 000012
【図１２】
0003722720.tif 000013
【図１３】
0003722720.tif 000014
【図１４】
0003722720.tif 000015
【図１５】
0003722720.tif 000016
【図１６】
0003722720.tif 000017
【図１７】
0003722720.tif 000018
【図１８】
0003722720.tif 000019
【図１９】
0003722720.tif 000020